(57)【特許請求の範囲】
【請求項１】
アスファルト等で舗装された地面を円形に切断する円形切断機であって、
円筒形状の一方の端部に切削刃を設け、他方の端部に開口を塞ぐ天板を取付けた円筒カッターと、
前記天板の中心に取付けられた回転駆動軸と、
前記回転駆動軸を回転させることで円筒カッターを回転させる回転駆動部と、
前記回転駆動部、前記回転駆動軸、及び前記円筒カッターを支柱に沿って昇降させる昇降部と、
前記支柱、前記円筒カッター、前記回転駆動部、前記回転駆動軸、及び前記昇降部を取囲んで保持するとともに、車輪を取付け可能な枠体と、を備え、
前記枠体は、当該円形切断機の上部に有した略円形状の上部躯体と、
当該円形切断機の下部に有した下部躯体と、
前記上部躯体と前記下部躯体とを接続して保持する略直線状の複数の垂直躯体と、
前記上部躯体に支持され、前記支柱の上方端を保持する支柱上方端保持躯体と、
前記支柱の下方端を保持する支柱下方端保持躯体と、
を含み、
前記円筒カッターの中心軸と前記上部躯体及び前記下部躯体の中心軸は略一致することを特徴とする円形切断機。
【請求項２】
前記支柱は、ラックを有し、
前記昇降部は、前記ラックにピニオンを噛み合わせるとともに、前記ピニオンを駆動可能なハンドルを有したことを特徴とする請求項１に記載の円形切断機。
【請求項３】
前記枠体の周りに、遮音シートを装着可能であることを特徴とする請求項１又は２に記載の円形切断機。
【請求項４】
前記駆動軸内に冷却水を供給することで前記円筒カッターの内側から切削刃に冷却水を供給することが可能なことを特徴とする請求項１〜３のいずれかに記載の円形切断機。
【請求項５】
前記支柱に前記昇降部が昇降した距離を測定可能な目盛を備えたことを特徴とする請求項１〜４のいずれかに記載の円形切断機。
【発明の詳細な説明】
【技術分野】
【０００１】
本発明は、アスファルト等で舗装された地面を円形に切断する円形切断機に関するものである。
【背景技術】
【０００２】
アスファルト等で舗装された地面に埋設されたマンホールは、所定の年月が経過すると交換することが求められている。そのため、交換時期になると、マンホール取り出しのために、マンホールを取囲むように地面を切断することが行われている。従来は、トラックで重機を搬送し、トラックから降ろした場所で大きな重機によって地面の切断を行っていたが、路地等の狭い場所に持ち込むことは困難であった。
【０００３】
特許文献１には、車輪を有して所望の場所まで搬送可能な切断機であって、十字型のアームの各先端に切断刃を有して、舗装路を円形に切断する事項が記載されている。
【先行技術文献】
【特許文献】
【０００４】
特許文献１：登録実用新案第３０１０３８４号公報
【発明の概要】
【発明が解決しようとする課題】
【０００５】
しかしながら、特許文献１に記載のものは、十字型のアームの各先端に有した切断刃で地面を切断するものであるため、比較的小さな円形で、かつ、浅めの切断深さには適用できるが、比較的大口径で深く切断する場合には適用できないという問題点があった。
【０００６】
本発明は、上記問題点を解決して、比較的大きめの円形を深く切断することが可能で、かつ、狭い場所にも搬送が容易な円形切断機を実現することを課題とする。
【課題を解決するための手段】
【０００７】
上記課題を解決するために本発明は、アスファルト等で舗装された地面を円形に切断する円形切断機であって、
円筒形状の一方の端部に切削刃を設け、他方の端部に開口を塞ぐ天板を取付けた円筒カッターと、
前記天板の中心に取付けられた回転駆動軸と、
前記回転駆動軸を回転させることで円筒カッターを回転させる回転駆動部と、
前記回転駆動部、前記回転駆動軸、及び前記円筒カッターを支柱に沿って昇降させる昇降部と、
前記支柱、前記円筒カッター、前記回転駆動部、前記回転駆動軸、及び前記昇降部を取囲んで保持するとともに、車輪を取付け可能な枠体と、を備え、
前記枠体は、当該円形切断機の上部に有した略円形状の上部躯体と、
当該円形切断機の下部に有した下部躯体と、
前記上部躯体と前記下部躯体とを接続して保持する略直線状の複数の垂直躯体と、
前記上部躯体に支持され、前記支柱の上方端を保持する支柱上方端保持躯体と、
前記支柱の下方端を保持する支柱下方端保持躯体と、
を含み、
前記円筒カッターの中心軸と前記上部躯体及び前記下部躯体の中心軸は略一致することを特徴とする円形切断機を提供するものである。
【０００８】
この構成により、円筒カッターを用いることで、比較的大きめの円形を深く切断することが可能で、かつ、狭い場所にも搬送可能な円形切断機を実現することができる。
また、上部躯体及び下部躯体などの枠体により重い円筒カッターをしっかり支えることができ、安定した切断作業を行うことができる。
さらに、上部躯体及び下部躯体が略円形状であるため、四角形状に比べてコンパクトであり、作業員は上部躯体を操作することで狭い路地にも容易に搬送することができる。
【０００９】
前記支柱は、ラックを有し、
前記昇降部は、前記ラックにピニオンを噛み合わせるとともに、前記ピニオンを駆動可能なハンドルを有した構成としてもよい。
【００１０】
この構成により、簡単な構成で昇降部を昇降させることができる。
【００１１】
前記枠体の周りに、遮音シートを装着可能である構成としてもよい。
【００１２】
この構成により、環境に配慮した地面の切断を行うことができる。
【００１３】
前記駆動軸内に冷却水を供給することで前記円筒カッターの内側から切削刃に冷却水を供給することが可能な構成としてもよい。
【００１４】
この構成により、切削刃を冷却するとともに、粉塵の飛散を防止することができる。
【００１５】
前記支柱に前記昇降部が昇降した距離を測定可能な目盛を備えた構成としてもよい。
【００１６】
この構成により、切断深さを容易に確認することができる。
【発明の効果】
【００１７】
本発明の円形切断機により、比較的大きめの円形を深く切断することが可能で、かつ、狭い場所にも搬送可能な円形切断機を実現することができる。
【図面の簡単な説明】
【００１８】
【図１】本発明の実施例１における円形切断機を説明する図である。
【図２】本発明の実施例１における円筒カッターを説明する図である。
【図３】本発明の実施例１における枠体のコンパクトさを説明する図である。
【図４】本発明の実施例２における円形切断機を説明する図である。
【図５】本発明の実施例３における円形切断機を説明する図である。
【発明を実施するための形態】
【実施例１】
【００１９】
本発明の実施例１について、図１〜図３を参照して説明する。図１は、本発明の実施例１における円形切断機を説明する図である。図２は、本発明の実施例１における円筒カッターを説明する図である。図３は、本発明の実施例１における枠体のコンパクトさを説明する図である。
【００２０】
実施例１における円形切断機１００は、アスファルト等で舗装された地面を円形に深く切断するものである。そのため、円筒カッター１を回転させて切断を行う。円筒カッター１は、円筒形状の鉄からなる筒体１３の一方端の円周上にダイヤモンドからなる切削刃１１を複数備えている（図２参照。）。そして筒体１３を回転させることで切削刃１１が地面を切断していくことができる。地面を深く切断するために筒体１３は長く構成されている。実施例１においては、筒体１３の長さは７００ｍｍであるが、必ずしもこれに限定されず適宜変更が可能である。５００ｍｍでも３００ｍｍでも構わない。切断する深さに応じた長さを選択すればよい。また、円筒形状の直径は、実施例１においては５００ｍｍであるが、これも限定されず適宜変更が可能である。直径１０００ｍｍまで切断可能であるので、切断する直径に合わせて選択すればよい。
【００２１】
従来の十字型のアームの各先端に有した切断刃で地面を切断する場合は、１００ｍｍ程度の深さを切断するのが限界であったが、円筒カッター１を用いることで３００ｍｍ以上の深さまで切断することができる。また、切断円の直径も従来は２００ｍｍ程度が限界であったが、実施例１においては５００ｍｍの直径の切断円で切断することができる。この切断円の直径を変更する場合は、円筒カッター１を交換すれば所望の切断円の直径で切断することができる。
【００２２】
円筒カッター１の上面、すなわち切削刃１１が設けられた一方の端部とは逆側である他方の端部には、開口を塞ぐように鉄からなる天板１２が固定されていて、その中心には回転駆動軸２を逆ねじで取付け可能な取付け部１４が設けられている。円筒カッター１を小径又は大径のものに交換する場合は、回転駆動軸２の先端の雄の逆ねじを円筒カッター１における取付け部１４の雌の逆ねじに対して右回しに回して取り外して、所望の円筒カッター１を回転駆動軸２の逆ねじに左回しに回して取付ければよい。
【００２３】
円筒カッター１は大口径でかつ深く切断でき、交換により種々の切断円にも対応が可能であるが、反面、重いので、その重量を支持できるとともに、深く切断した円筒カッター１を引き上げるには切断した深さ以上に高く引き上げることが可能な装置構成が必要である。
【００２４】
そのため、実施例１においては、図１に示すように、枠体５で円筒カッター１を含む装置全体を支持している。枠体５は、円形切断機１００の上部に有した略円形状の上部躯体５１と、円形切断機１００の下部に有し、上部躯体５１と中心をほぼ同じくする略円形状の下部躯体５２と、上部躯体５１と下部躯体５２とを接続して保持する略直線状の複数の垂直躯体５３、５４、５５、５６とを含んでいる。また円筒カッター１の中心軸と上部躯体５１及び下部躯体５２の中心軸は略一致するように構成している。これにより、円筒カッター１の位置を地面に設けられたマンホールの位置に合わせるときに上部躯体５１又は下部躯体５２の位置を見ながら位置合わせができ、効率的な位置合わせが可能である。
【００２５】
上部躯体５１は鉄パイプを円形に加工して始端と終端を溶接したもので、下部躯体５２より若干小さめの略円形状を有している。また、下部躯体５２も鉄パイプを円形に加工して始端と終端を溶接したものであるが、途中、垂直躯体５３、５４、５５、５６が溶接されている。ここで、本願発明における略円形状であるとは、円形状を基本とするが、部分的に変形していたりわずかな楕円形状であってもよいことである。
【００２６】
複数の垂直躯体５３、５４、５５、５６は、鉄パイプを若干曲げた略直線状であり、上部躯体５１及び下部躯体５２に溶接することにより接続されている。そして、複数の垂直躯体５３、５４、５５、５６の下端部は、地面に当接して円筒カッター１をはじめとする装置全体の重量を支える。また、搬送時には複数の垂直躯体５３、５４、５５、５６の下端部に車輪を取付けることができる（図１参照）。実施例１においては、複数の垂直躯体５３、５４、５５、５６の下端部に車輪の保持部を差し込むことで取り付けることができるように構成しているが、ねじ止めや他の固定方法で固定するように構成してもよい。
【００２７】
なお、実施例１においては、略円形状の上部躯体５１及び下部躯体５２を備えることとしたが、必ずしもこれに限定されず適宜変更が可能である。例えば、上部躯体５１と下部躯体５２の間に略円形状の中間躯体をさらに備えるように構成してもよい。
また、実施例１においては、４本の垂直躯体５３、５４、５５、５６を備えるように構成したが、必ずしもこれに限定されず適宜変更が可能である。例えば、５本以上の垂直躯体を備えるように構成してもよい。
【００２８】
回転駆動軸２の円筒カッター１が取付けられた側と反対側には回転駆動部３が取付けられている。回転駆動部３にはモーターが含まれており、モーターが回転することにより回転駆動軸２及び円筒カッター１が回転する。回転駆動部３は昇降部４に固定されている。昇降部４は支柱６のラック６１に噛み合う図示しないピニオンを備えていて、ラック６１にピニオンが噛み合って昇降することができる。昇降させる場合は、ハンドル４１を回すことにより、ピニオンが回転してラック６１に噛み合いながら支柱６に沿って昇降する。
【００２９】
支柱６は、その頂部を支柱上方端保持躯体５８によって上部躯体５１にねじ止めで固定され、支柱６の下端部を支柱下方端保持躯体５７の一部に固定し、支柱下方端保持躯体５７の両端を垂直躯体５６及び垂直躯体５３に溶接固定されて支持されている。支柱上方端保持躯体５８は、板金を山形に成形して山頂部分で支柱６を固定し、２つの裾野部分を上部躯体５１に取付けている。支柱６の長さは任意であるが、円筒カッター１が深く地面を切断した後、引き上げる長さは切断した深さに対応して長くなる。つまり４００ｍｍの深さを切断すると、地上に引き上げるには４００ｍｍ以上引き上げることが必要である。そのため、実施例１における支柱６は、６００ｍｍの長さを有している。
【００３０】
なお、実施例１においては、支柱上方端保持躯体５８は板金を山形に成形して山頂部分で支柱６を固定し、２つの裾野部分を上部躯体５１に取付ける構成としたが、必ずしもこれに限定されず適宜変更が可能である。例えば、鉄パイプからなる支柱上方端保持躯体５８の一部で支柱６を固定し、両端を上部躯体５１に溶接固定するように構成してもよい。
また、実施例１においては、支柱６の下端部を支柱下方端保持躯体５７の一部に固定し、支柱下方端保持躯体５７の両端を垂直躯体５６及び垂直躯体５３に溶接固定するように構成したが、必ずしもこれに限定されず適宜変更が可能である。例えば、板金を谷形に成形して谷底部分で支柱６の下端部を固定し、２つの頂上部分を上部躯体５１に取付ける構成としてもよい。
【００３１】
また、支柱６におけるラック６１と隣り合う面には垂直にミリ単位で測定可能な目盛６２が刻まれて、支柱６に対して昇降部４が昇降した距離を測定できるようにしている。具体的には、目盛６２が昇降部４により隠れた目盛上の位置を記憶しておき、昇降後における昇降部４により隠れた目盛上の位置を読み取ることにより容易に昇降距離を把握することができる。
【００３２】
このように、重い円筒カッター１により深く地面を切断し、高く引き上げるためには、しっかりとした躯体が必要である。そのため、実施例１においては、上部躯体５１を高い位置に設け、支柱上方端保持躯体５８によって支柱６の頂部を固定し、支柱下方端保持躯体５７によって支柱６の下端部をしっかりと固定し支持している。実施例１における上部躯体５１の地面からの高さは約１５００ｍｍであり、作業員が搬送のために操作するのに適した高さとされている。
【００３３】
円筒カッター１で地面を切断すると熱をもつとともに、粉塵が発生する。そのため、切削刃１１の冷却と粉塵の飛散防止のために冷却水を円筒カッター１に内部に供給可能としている。具体的には、上部躯体５１に給水タンク８が取付けられており、給水タンク８からホース７を経て回転駆動軸２の内部に冷却水が供給される。給水タンク８の上部には冷却水補給部が設けられ、キャップを外すことにより外部から水の補給ができる。回転駆動軸２の内部に供給された冷却水は円筒カッター１の内面を伝って切削刃１１に到達し切削刃１１を冷却するとともに、地面切断に伴う粉塵が飛散することを防止する。
【００３４】
ここで、枠体５の上部躯体５１及び下部躯体５２が略円形状であることによって、四角形状では得られないコンパクトさを実現している。図３を参照して詳しく説明する。実施例１においては、上部躯体５１の直径よりも下部躯体５２の直径の方が若干大きい直径を有しているので、下部躯体５２に基づいて説明する。図３に示すように、下部躯体５２が略円形状であることにより、下部躯体５２の直径と同じ長さの１辺を有する想定上の正方形Ｓよりも四隅において、平面上の面積が少ないことが分かる（斜線で示す領域）。狭い路地等に円形切断機１００を搬送する場合は、躯体が四角形状であるとこの四隅のでっぱり部分によって搬送が困難になることがある。実施例１においては、上部躯体５１及び下部躯体５２が略円形状であることで四隅のでっぱり部分がなく狭い路地等でも容易に搬送することができる。
【００３５】
このように、実施例１においては、アスファルト等で舗装された地面を円形に切断する円形切断機であって、
円筒形状の一方の端部に切削刃を設け、他方の端部に開口を塞ぐ天板を取付けた円筒カッターと、
前記天板の中心に取付けられた回転駆動軸と、
前記回転駆動軸を回転させることで円筒カッターを回転させる回転駆動部と、
前記回転駆動部、前記回転駆動軸、及び前記円筒カッターを支柱に沿って昇降させる昇降部と、
前記支柱、前記円筒カッター、前記回転駆動部、前記回転駆動軸、及び前記昇降部を取囲んで保持するとともに、車輪を取付け可能な枠体と、を備え、
前記枠体は、当該円形切断機の上部に有した略円形状の上部躯体と、
当該円形切断機の下部に有した下部躯体と、
前記上部躯体と前記下部躯体とを接続して保持する略直線状の複数の垂直躯体と、
前記上部躯体に支持され、前記支柱の上方端を保持する支柱上方端保持躯体と、
前記支柱の下方端を保持する支柱下方端保持躯体と、
を含み、
前記円筒カッターの中心軸と前記上部躯体及び前記下部躯体の中心軸は略一致することを特徴とする円形切断機により、円筒カッターを用いることで、比較的大きめの円形を深く切断することが可能で、かつ、狭い場所にも搬送可能な円形切断機を実現することができる。
また、上部躯体及び下部躯体などの枠体により重い円筒カッターをしっかり支えることができ、安定した切断作業を行うことができる。
さらに、上部躯体及び下部躯体が略円形状であるため、四角形状に比べてコンパクトであり、作業員は上部躯体を操作することで狭い路地にも容易に搬送することができる。
【実施例２】
【００３６】
本発明の実施例２は、枠体５の周囲を上から下まで遮音シート２５７で覆われている点で実施例１と異なっている。実施例２について、図４を参照して説明する。図４は、本発明の実施例２における円形切断機を説明する図である。
【００３７】
図４に示すように、実施例２では枠体５の周囲が高強力ポリエステルからなる遮音シート２５７で覆われている。上は上部躯体５１に複数の取付け具２５８により取付けられ、下は下部躯体５２に複数の取付け具２５８により取付けられている。また周囲を取囲んだ後、遮音シート２５７の始端と終端は垂直躯体５３に複数の取付け具２５８により取付けられている。これによって、円筒カッター１が地面を切断する音が外部に漏れることが軽減できるとともに、粉塵が外部に飛散することを防止することができる。複数の取付け具２５８は、予め枠体５の各箇所に、遮音シート２５７を取付け可能に設けておいてもよいし、遮音シート２５７に予め取り付けておいてもよい。
【００３８】
なお、実施例２においては、枠体５の全周囲を遮音シート２５７で覆うように構成したが、必ずしもこれに限定されず適宜変更が可能である。例えば、一部分は覆わないようにしてもよい。これにより、内部の円筒カッター１等の様子を容易に観察できる。
【００３９】
このように、前記枠体の周りに、遮音シートを装着可能である構成により、音や粉塵の影響を軽減し、環境に配慮した地面の切断を行うことができる。
【実施例３】
【００４０】
本発明の実施例３は、防水マット３５９を枠体５内部の周囲の地面に配置した点で実施例１及び実施例２と異なっている。実施例３について、図５を参照して説明する。図５は、本発明の実施例３における円形切断機を説明する図である。
【００４１】
図５に示すように、実施例３は、防水マット３５９が枠体５の内部であって、地面に接した箇所に枠体５の全周囲に配置されている。防水マット３５９は、低反発ＥＰＤＭゴムスポンジからなり、高さ１５０ｍｍで枠体５の周囲に沿って配置できる長さを有しており、枠体５に沿って地面上に配置するだけで切削刃１１を冷却するための冷却水が外部に漏れ出ることを防止することができる。
【００４２】
なお、実施例３においては、防水マット３５９を枠体５に沿って地面上に配置する構成としたが、必ずしもこれに限定されず適宜変更が可能である。例えば、防水マット３５９を下部躯体５２に沿って取り付ける構成としてもよい。少なくとも枠体５に沿って地面に接して設けられればよい。
【００４３】
このように、実施例３においては、防水マット３５９を枠体５内部の地面に備えたことにより、冷却水が外部に漏れ出ることを防止することができる。
【産業上の利用可能性】
【００４４】
本発明における円形切断機は舗装された地面を円形に切断する分野に広く用いることができる。
【符号の説明】
【００４５】
１：円筒カッター    
２：回転駆動軸    
３：回転駆動部    
４：昇降部    
５：枠体    
６：支柱    
７：ホース    
８：給水タンク    
１１：切削刃    
１２：天板    
１３：筒体    
５１：上部躯体    
５２：下部躯体    
５３：垂直躯体    
５４：垂直躯体    
５５：垂直躯体    
５６：垂直躯体    
５７：支柱下方端保持躯体    
５８：支柱上方端保持躯体    
６１：ラック    
６２：目盛    
１００：円形切断機    
２００：円形切断機    
３００：円形切断機    
２５７：遮音シート    
３５９：防水マット    
Ｓ：仮想上の正方形の躯体    
【要約】
【課題】比較的大きめの円形を深く切断することが可能で、かつ、狭い場所にも搬送が容易な円形切断機を実現することを課題とする。
【解決手段】円筒カッター１と、回転駆動軸２と、回転駆動部３と、前記回転駆動部、前記回転駆動軸、及び前記円筒カッターを支柱６に沿って昇降させる昇降部４と、車輪を取付け可能な枠体５と、を備え、前記枠体は、当該円形切断機の上部に有した略円形状の上部躯体５１と、当該円形切断機の下部に有した下部躯体５２と、前記上部躯体と前記下部躯体とを接続して保持する略直線状の複数の垂直躯体と、前記上部躯体に支持され、前記支柱の上方端を保持する支柱上方端保持躯体５８と、前記支柱の下方端を保持する支柱下方端保持躯体５７と、を含み、前記円筒カッターの中心軸と前記上部躯体及び前記下部躯体の中心軸は略一致することを特徴とする円形切断機とした。
【選択図】図１【図１】
0006583903.tif 000002
【図２】
0006583903.tif 000003
【図３】
0006583903.tif 000004
【図４】
0006583903.tif 000005
【図５】
0006583903.tif 000006